(57)【要約】      （修正有）【課題】座部と脚部とが着脱自在な組立式の椅子であって、位置変えや移動時に座部を持って移動しても、脚部と分離し難い組立式椅子を提供する。【解決手段】座部２０と脚部３０とが分離し、前記座部２０と前記脚部３０とを組立て使用する椅子であって、前記脚部３０は、４本の脚柱３１ａ〜３１ｄと前記脚柱脚柱３１ａ〜３１ｄを連結する桟３３ａ，３３ｂ，３４とを備え、前記座部２０の裏面側の四隅に磁力固定部を設け、前記脚柱３１ａ〜３１ｄの上端部には前記座部２０の裏面側の四隅に設けられた磁力固定部と磁力により引き合う磁力固定部ＭＧ２を備え、前記座部２０に設けられる磁力固定部と前記脚柱３１ａ〜３１ｄに設けられる磁力固定部ＭＧ２とのいずれか一方の磁力固定部には、第１磁石を取り付けると共に、他方の磁力固定部には、前記第１磁石と磁力により引き合う第２磁石又は磁性体を備えるよう構成する。【選択図】図３
0003203330.tif 000002
【実用新案登録請求の範囲】
【請求項１】
座部と脚部とが分離し、前記座部と前記脚部とを組立て使用する椅子であって、
前記脚部は、４本の脚柱と前記脚柱を連結する桟とを備え、
前記座部の裏面側の四隅に磁力固定部を設け、
前記脚柱の上端部には前記座部の裏面側の四隅に設けられた磁力固定部と磁力により引き合う磁力固定部を備え、
前記座部に設けられる磁力固定部と前記脚柱に設けられる磁力固定部とのいずれか一方の磁力固定部には、第１磁石を取り付けると共に、他方の磁力固定部には、前記第１磁石と磁力により引き合う第２磁石又は磁性体を備えることを特徴とする組立椅子。
【請求項２】
前記座部は、裏面の四隅に前記脚部の上端を取り囲むように近接されて形成される囲繞部を設けると共に、前記囲繞部に囲まれた前記座部の裏面部に前記磁力固定部を設けてなることを特徴とする請求項１に記載の組立椅子。
【請求項３】
前記脚柱を連結する桟は、それぞれ対角に位置する前記脚柱を連結する交差桟であって、前記交差桟は、交差方向中央に互いに回動可能に軸支される軸部を備えてなることを特徴とする請求項１又は２に記載の組立椅子。
【請求項４】
前記脚柱を連結する桟は、それぞれ対角に位置する前記脚柱を連結する交差桟であって、前記交差桟は、一対の板状体からなり、それぞれ対角に位置する一対の前記脚柱にそれぞれ固定されると共に、交差方向中央で相欠け継ぎにて着脱自在に固定されてなることを特徴とする請求項１又は２に記載の組立椅子。
【考案の詳細な説明】
【技術分野】
【０００１】
本考案は、例えば、仏事等に使用する椅子であって、収納時には座部と脚部とが分解可能であり、使用にあたり組み立てられる組立椅子に関するものである。
【背景技術】
【０００２】
一般に仏事等に使用する椅子は、多数の椅子を一時的に使用するため、通常時においては脚部を折り畳むか、座面と脚部とを分解し脚部を折り畳む等の手段により収納され、使用時においては組み立てて使用するものが使用されている。
【０００３】
上記のような構成を有する椅子等の家具としては、従来より、例えば、実用新案出願公告第１５９１５号（特許文献１）、実用新案出願公告昭３２−７３５２号（特許文献２）、実用新案出願公開平２−１１９０３３号（特許文献３）又は実用新案登録第３１３５９６２号（特許文献４）等に記載されているものが周知であり、前記各公報に記載のものは、上板部（座部）と、上下方向に延びる４本の脚とを備え、前記４本の脚の一端に前記上板部（座部）が嵌め込み可能であり、かつ前記４本の脚の一端に前記上板部（座部）が乗せられてなるとともに、互い違いに少なくとも１対の水平杆によって連結され、前記少なくとも１対の水平杆が互いに旋回可能に軸支されて構成されている。
【先行技術文献】
【特許文献】
【０００４】
【特許文献１】実用新案出願公告第１５９１５号公報
【特許文献２】実公昭３２−７３５２号公報  第９図
【特許文献３】実開平２−１１９０３３号公報  第２図
【特許文献４】実用新案登録第３１３５９６２号公報  第１頁、図２
【考案の概要】
【考案が解決しようとする課題】
【０００５】
しかしながら、上記従来の構成においては、組み立てて、一旦載置したものを、位置を変えたり移動させる場合に、前記上板部を持って移動させるときに、前記上板部と前記脚部とが分離してしまい、位置変えや移動する場合は、前記上板部と前記脚部とを同時に持って移動させる必要があり、位置変えや移動時に不便であった。特に、仏事等に使用する椅子は、多数の椅子を必要とする場合が多く、また、頻繁に椅子の位置変えや移動を必要とされる場合が多く、その場合に非常に労力と時間を要することとなる。
【０００６】
本考案は、かかる点に鑑みてなされたものであり、その目的とするところは、座部と脚部とが着脱自在な組立式の椅子であって、位置変えや移動時に座部を持って移動しても、脚部と分離し難い組立式椅子を提供することを目的とする。
【課題を解決するための手段】
【０００７】
請求項１に記載の組立椅子は、座部と脚部とが分離し、前記座部と前記脚部とを組立て使用する椅子であって、前記脚部は、４本の脚柱と前記脚柱を連結する桟とを備え、前記座部の裏面側の四隅に磁力固定部を設け、前記脚柱の上端部には前記座部の裏面側の四隅に設けられた磁力固定部と磁力により引き合う磁力固定部を備え、前記座部に設けられる磁力固定部と前記脚柱に設けられる磁力固定部とのいずれか一方の磁力固定部には、第１磁石を取り付けると共に、他方の磁力固定部には、前記第１磁石と磁力により引き合う第２磁石又は磁性体をを備えることを特徴とする。
【０００８】
請求項１に記載の組立椅子にあっては、前記座部と前記脚部とが磁石と磁石又は磁石と磁性体とにより着脱自在となるため、組み立てて使用する場合に、前記座部を持って持ち上げても、前記座部と前記脚部とが磁力により固定されるので分離し難く、置き場所の位置変えや移動時に前記座部を把持して容易に移動及び持ち運びができる。
【０００９】
請求項２に記載の組立椅子は、請求項１に記載の組立椅子に加えて、前記座部は、裏面の四隅に前記脚部の上端を取り囲むように近接されて形成される囲繞部を設けると共に、前記囲繞部に囲まれた前記座部の裏面部に前記磁力固定部を設けてなることを特徴とする。
【００１０】
請求項２に記載の組立椅子にあっては、前記組立椅子を組み立てる場合に、前記脚部の上端を前記囲繞部に案内するだけで、前記囲繞部により囲まれた所定の範囲内に前記脚部の上端を案内することがで、容易に前記座部と前記脚部とを磁着させることができると共に、前記磁力固定部により磁着された前記座部と前記脚部とが、前記組立椅子を持ち上げる際等に斜め方向に離脱する力がかかることにより前記脚部が前記座部から離脱しようとしても、前記囲繞部に前記脚部の上端側面があたり、前記脚部の離脱を防止することができる。
【００１１】
請求項３に記載の組立椅子は、請求項１又は２に記載の組立椅子に加えて、前記脚柱を連結する桟は、それぞれ対角に位置する前記脚柱を連結する交差桟であって、前記交差桟は、交差方向中央に互いに回動可能に軸支される軸部を備えてなることを特徴とする。
【００１２】
請求項３に記載の組立椅子にあっては、前記脚部を前記軸部を中心に回動させて折り畳むことができ、前記組立椅子の収納時に嵩張ることなく収納することができる。
【００１３】
請求項４に記載の組立椅子は、請求項１又は２に記載の組立椅子に加えて、前記脚柱を連結する桟は、それぞれ対角に位置する前記脚柱を連結する交差桟であって、前記交差桟は、一対の板状体からなり、それぞれ対角に位置する一対の前記脚柱にそれぞれ固定されると共に、交差方向中央で相欠け継ぎにて着脱自在に固定されてなることを特徴とする。
【００１４】
請求項４に記載の組立椅子にあっては、前記一対の脚部を離脱することができ、前記組立椅子の収納時に嵩張ることなく収納することができる。
【考案の効果】
【００１５】
請求項１に記載の組立椅子に依れば、座部と脚部とが分離し、前記座部と前記脚部とを組立て使用する椅子であって、前記脚部は、４本の脚柱と前記脚柱を連結する桟とを備え、前記座部の裏面側の四隅に磁力固定部を設け、前記脚柱の上端部には前記座部の裏面側の四隅に設けられた磁力固定部と磁力により引き合う磁力固定部を備え、前記座部に設けられる磁力固定部と前記脚柱に設けられる磁力固定部とのいずれか一方の磁力固定部には、第１磁石を取り付けると共に、他方の磁力固定部には、前記第１磁石と磁力により引き合う第２磁石又は磁性体を備えているので、前記座部と前記脚部とが着脱自在であり、組み立てて使用する場合に、前記座部を持って持ち上げても、前記座部と前記脚部とが分離し難く、置き場所の位置変えや移動時に前記座部を持って容易に移動及び持ち運びができる。
【００１６】
請求項２に記載の組立椅子に依れば、請求項１に記載の組立椅子に加えて、前記座部は、裏面の四隅に前記脚部の上端を取り囲むように近接されて形成される囲繞部を設けると共に、前記囲繞部に囲まれた前記座部の裏面部に前記磁力固定部を設けているので、前記組立椅子を組み立てる場合に、前記脚部の上端を前記囲繞部に案内するだけで、前記囲繞部により囲まれた所定の範囲内に前記脚部の上端を案内することがで、容易に前記座部と前記脚部とを磁着させることができると共に、前記磁力固定部により磁着された前記座部と前記脚部とが、前記組立椅子を持ち上げる際等に斜め方向に離脱する力がかかることにより前記脚部が前記座部から離脱しようとしても、前記囲繞部に前記脚部の上端があたり、前記脚部の離脱を防止することができる。
【００１７】
請求項３に記載の組立椅子に依れば、請求項１又は２に記載の組立椅子に加えて、前記脚柱を連結する桟は、それぞれ対角に位置する前記脚柱を連結する交差桟であって、前記交差桟は、交差方向中央に、互いに回動可能に軸支される軸部を備えているので、前記脚部を前記軸部を中心に回動させて折り畳むことができ、前記組立椅子の収納時に嵩張ることなく収納することができる。
【００１８】
請求項４に記載の組立椅子に依れば、請求項１又は２に記載の組立椅子に加えて、前記脚柱を連結する桟は、それぞれ対角に位置する前記脚柱を連結する交差桟であって、前記交差桟は、一対の板状体からなり、それぞれ対角に位置する一対の前記脚柱にそれぞれ固定されると共に、交差方向中央で相欠け継ぎにて脱着可能に固定されているので、前記一対の脚部を離脱することができ、前記組立椅子の収納時に嵩張ることなく収納することができる。
【図面の簡単な説明】
【００１９】
【図１】本考案に係る組立椅子の斜視図である。
【図２】同組立椅子の底面図である。
【図３】座部と脚部とを分離した状態を示す斜視図である。
【図４】座部の底面図である。
【図５】座部の部分底面斜視図である。
【図６】組立椅子を組み立てた状態の部分底面斜視図である。
【図７】他の脚部を示す斜視図である。
【図８】他の脚部を分離した状態を示す斜視図である。
【考案を実施するための形態】
【００２０】
以下、本考案に係る水位表示装置を実施するための最良の実施形態について、図面に従って説明する。
【００２１】
図１は本考案に係る組立椅子の斜視図であり、図２は同組立椅子の底面図であり、図３は座部と脚部とを分離した状態を示す斜視図である。また、図４は座部の底面図であり、図５は座部の部分底面斜視図であり、図６は組立椅子を組み立てた状態の部分底面斜視図である。
【００２２】
図１乃至図６において、１０は本考案に係る組立椅子であり、前記組立椅子１０は、着脱可能な座部２０と脚部３０とを備え、使用時には前記座部２０と前記脚部３０とを組み立てて使用し、収納時には前記座部２０と前記脚部３０とを離脱させて収納することができる。
【００２３】
前記座部２０は、平板状の４枚の板枠材２１ａ〜２１ｄを、長方形状に組むと共に、前記板枠材２１（２１ａ〜２１ｄ）の外縁に垂直状に板状外壁材２２（２２ａ〜２２ｄ）を立設して、断面Ｌ字状に形成し、前記板枠材２１の上部にはクッション部２０ａを固定している。
【００２４】
前記板枠材２１ａ〜２１ｄの四隅において、前記板状外壁材２２（２２ａ〜２２ｄ）に対して斜めに架け渡すように、補強材２３（２３ａ〜２３ｄ）を架け渡し、前記座部の裏面の四隅に、前記板状外壁材２２ａ〜２２ｄにおける四隅の内面と前記補強材２３ａ〜２３ｄとで囲むように近接して囲繞部Ａ〜Ｄを形成している。なお、前記囲繞部Ａ〜Ｄは部分的に前記脚部３０の上端と接触していても良い。
【００２５】
前記脚部３０は、４本の脚柱３１（３１ａ〜３１ｄ）と、対角に位置するそれぞれの前記脚柱（３１ａと３１ｂ、３１ｃと３１ｄ）をそれぞれ接続する二対の交差桟（３３，３４）とから構成され、前記交差桟（３３，３４）には、それぞれ、２本の前記交差桟３３ａ，３３ｂ及び前記交差桟（３４ａ，３４ｂ）の中央において挿通されるボルトＢＬとナットＮにより軸部が形成され、前記軸部（Ｎ，ＢＬ）により前記交差桟（３３，３４）は回動自在に軸支されている。
【００２６】
そして、前記囲繞部Ａ〜Ｄが取り囲む前記板枠材２１ａ〜２１ｄの部分に、それぞれ磁石ＭＧ１を嵌め込むと共に、前記脚柱３１（３１ａ〜３１ｄ）の上面であって、前記脚柱３１（３１ａ〜３１ｄ）を前記座部２０に組み付けた場合に前記磁石ＭＧ１と対応する位置にも磁石ＭＧ２を埋め込んでいる。このように、前記囲繞部Ａ〜Ｄ内の前記磁石ＭＧ１と前記脚柱３１（３１ａ〜３１ｄ）の上面の前記磁石ＭＧ２により磁力固定部がそれぞれ形成されるのである。
【００２７】
前記磁力固定部ＭＧ１，ＭＧ２は、上記のように、前記座部２０と前記脚部３０とに、その接合部において前記磁石ＭＧ１，ＭＧ２を介在させることにより形成されるが、前記座部２０と前記脚部３０のいずれか一方に前記磁石ＭＧ１（又はＭＧ２）を設け、他方には前記磁石ＭＧ１（又はＭＧ２）の磁力に引き合う鉄等の磁性体（図示せず。）を備えるように形成しても良い。
【００２８】
図７は他の脚部を示す斜視図であり、図８は図７に示す他の脚部を分離した状態を示す斜視図である。
【００２９】
図７及び図８において、３００は他の構造の脚部であり、前記脚部３００は、対角の前記脚柱（３１ａと３１ｂ、３１ｃと３１ｄ）をそれぞれ接続する板状の交差桟３３０（３３０ａ，３３０ｂ）で接続されており、前記交差桟３３０ａの交差方向中央部を上端から下端に向けて上下方向幅の半分の長さの切欠３４０ａを設けると共に、前記前記交差桟３３０ｂの交差方向中央部を下端から上端端に向けて上下方向幅の半分の長さの切欠３４０ｂを設けて、前記各切欠３４０ａ，３４０ｂを組み合わせて形成されている。
【００３０】
本考案は以上の構成からなるので、前記座部２０と前記脚部３０（３００）とが着脱自在であり、組み立てて使用する場合に、前記磁力固定部ＭＧ１，ＭＧ２により磁着されているので、前記座部２０を持って持ち上げても、前記座部２０と前記脚部３０（３００）とが分離し難く、置き場所の位置変えや移動時に前記座部２０を把持して容易に移動及び持ち運びができる。
【００３１】
また、前記組立椅子１０を組み立てる場合に、前記脚部３０（３００）の上端を前記囲繞部Ａ〜Ｄに案内するだけで、前記囲繞部Ａ〜Ｄにより囲まれた所定の範囲内に前記脚部３０（３００）の上端を案内することができ、容易に前記座部２０と前記脚部３０（３００）とを磁着させることができると共に、前記磁力固定部ＭＧ１，ＭＧ２により磁着された前記座部２０と前記脚部３０（３００）とが、前記組立椅子１０を持ち上げる際等に斜め方向に離脱する力がかかることにより前記脚部３０（３００）が前記座部２０から離脱しようとしても、前記囲繞部Ａ〜Ｄに前記脚部３０（３００）の上端があたり、前記脚部３０（３００）の前記座部２０からの離脱を防止することができる。
【００３２】
さらに、前記交差桟３３，３４は、交差方向中央に、互いに回動可能に軸支される軸部（ボルトＢＬ及びナットＮ）を備えているので、前記脚部３０を前記軸部（ボルトＢＬ及びナットＮ）を中心に回動させて折り畳むことができ、前記組立椅子１０の収納時に嵩張ることなく収納することができる。
【００３３】
また、前記交差桟３００は、一対の板状体（３３０ａ，３３０ｂ）からなり、それぞれ対角に位置する一対の前記脚柱（３１ａと３１ｂ、３１ｃと３１ｄ）に固定されると共に、交差方向中央で相欠け継ぎ（３４０ａ，３４０ｂ）にて脱着可能に固定されているので、前記脚柱（３１ａと３１ｂ、３１ｃと３１ｄ）を離脱することができ、前記組立椅子１０の収納時に嵩張ることなく収納することができる。
【符号の説明】
【００３４】
１０  組立椅子
２０  座部
２０ａ  クッション部
２１（２１ａ〜２１ｄ）  板枠材
２２（２２ａ〜２２ｄ）  板状外壁材
２３（２３ａ〜２３ｄ）  補強材
３０  脚部
３１（３１ａ〜３１ｄ）  脚柱
３３，３４  交差桟
３００  他の脚部
３３０（３３０ａ，３３０ｂ）  交差桟
３４０（３４０ａ，３４０ｂ）  切欠
Ａ〜Ｄ  囲繞部
ＭＧ  磁石
Ｂ  ボルト
Ｎ  ナット
【図１】
0003203330.tif 000003
【図２】
0003203330.tif 000004
【図３】
0003203330.tif 000005
【図４】
0003203330.tif 000006
【図５】
0003203330.tif 000007
【図６】
0003203330.tif 000008
【図７】
0003203330.tif 000009
【図８】
0003203330.tif 000010